(57)【要約】      （修正有）【課題】狭額縁の効果を有するバックライトモジュール及びこのバックライトモジュールを有する表示装置を提供する。【解決手段】バックライトモジュールは、入光面、裏面１２６及び複数個の側面１２２を有する導光板１２０を含み、光源が入光面の横に配置される。またバックプレート本体１３１、及びバックプレート本体に固定されたバックフレーム１３３を含むバックプレートアセンブリを含み、バックプレート本体が導光板の裏面の横に位置し、バックフレームが少なくとも導光板の複数個の側面の横に位置し、バックフレームの厚さＴ２がバックプレート本体の厚さＴ１の０．２倍から０．６倍の間にある。【選択図】図５Ａ
0003233939.tif 000002
【実用新案登録請求の範囲】
【請求項１】
バックライトモジュールであって、
光源と、
入光面、裏面及び複数個の側面を含む導光板と、
バックプレート本体及び前記バックプレート本体に固定されたバックフレームを含むバックプレートアセンブリとを含み、
前記光源が前記入光面の横に配置され、
前記バックプレート本体が前記導光板の前記裏面の横に位置し、前記バックフレームが少なくとも前記導光板の前記複数個の側面の横に位置し、前記バックフレームの厚さが前記バックプレート本体の厚さの０．２倍から０．６倍の間にある、バックライトモジュール。
【請求項２】
前記バックフレームがベースプレート及び前記ベースプレートに接続された複数個のサイドプレートを含み、
前記ベースプレートが前記バックプレート本体と重なり、前記複数個のサイドプレートが前記導光板の前記複数個の側面及び前記入光面の横に位置する、請求項１に記載のバックライトモジュール。
【請求項３】
前記ベースプレートが少なくとも一つの開口を有する、請求項２に記載のバックライトモジュール。
【請求項４】
前記バックプレートアセンブリがさらに固定部材を含み、前記ベースプレートが前記固定部材によって前記バックプレート本体に固定され、
前記固定部材が接着層、ロック部材またはリベット部材のうちの一つを含む、請求項２に記載のバックライトモジュール。
【請求項５】
前記バックプレートアセンブリが、前記バックプレート本体と前記ベースプレートとの間的に位置する溶接部を含み、
前記ベースプレートが前記溶接部によって前記バックプレート本体に固定される、請求項２に記載のバックライトモジュール。
【請求項６】
前記複数個のサイドプレートが少なくとも一つの第一係合部を含み、
前記バックフレームが前記第一係合部によって前記バックプレート本体に固定される、請求項２に記載のバックライトモジュール。
【請求項７】
前記バックライトモジュールがさらにミドルフレームを含み、
前記ミドルフレームの少なくとも一部が前記複数個のサイドプレートの外側に位置し、
前記ミドルフレームが第二係合部を含み、前記ミドルフレームが前記第二係合部によって前記サイドプレートに固定される、請求項１に記載のバックライトモジュール。
【請求項８】
前記バックプレートアセンブリの前記裏面側における厚さが、前記バックプレートアセンブリの少なくとも一つの前記側面側における厚さより大きい、請求項１に記載のバックライトモジュール。
【請求項９】
前記バックプレート本体が前記入光面の横まで折り曲げられた放熱セクションを含み、前記光源が前記放熱セクションに熱結合される、請求項１に記載のバックライトモジュール。
【請求項１０】
表示装置であって、
表示パネルと、
前記表示パネルの下方に配置されたバックライトモジュールをと含み、
前記バックライトモジュールが、
光源と、
入光面、裏面及び複数個の側面を含む導光板と、
バックプレート本体及び前記バックプレート本体に固定されたバックフレームを含むバックプレートアセンブリとを含み、
前記光源が前記入光面の横に配置され、
前記バックプレート本体が前記導光板の前記裏面の横に位置し、前記バックフレームが少なくとも前記導光板の前記複数個の側面の横に位置し、前記バックフレームの厚さが前記バックプレート本体の厚さの０．２倍から０．６倍の間にある、表示装置。
【考案の詳細な説明】
【技術分野】
【０００１】
本考案はバックライトモジュール及び表示装置に関し、特に狭額縁に応用可能なバックライトモジュール及び表示装置に関する。
【背景技術】
【０００２】
車載バックライトモジュールが厳しい環境試験を通過するには、相応する構造強度及び放熱能力が必要である。現在、車載バックライトモジュールにおいて強度の高い構造と優れた放熱能力が得られるよう、厚さが増加されたバックプレートを採用しているが、バックプレートが導光板の側面まで伸びるため、厚さの非常に大きいバックプレートでは狭額縁のニーズを満たすのが難しい。
【考案の概要】
【考案が解決しようとする課題】
【０００３】
本考案は、狭額縁の効果を有するバックライトモジュールを提供する。
【０００４】
本考案は、前記バックライトモジュールを有する表示装置を提供する。
【課題を解決するための手段】
【０００５】
本考案のバックライトモジュールは光源、導光板及びバックプレートアセンブリを含む。導光板は入光面、裏面及び複数個の側面を含み、光源が入光面の横に配置される。バックプレートアセンブリはバックプレート本体及びバックプレート本体に固定されたバックフレームを含み、バックプレート本体が導光板の裏面の横に位置し、バックフレームが少なくとも導光板の前記複数個の側面の横に位置し、バックフレームの厚さがバックプレート本体の厚さの０．２倍から０．６倍の間にある。
【０００６】
本考案の一実施例において、前記バックフレームがベースプレート及びベースプレートに接続された複数個のサイドプレートを含み、ベースプレートがバックプレート本体と重なり、前記複数個のサイドプレートが導光板の前記複数個の側面及び入光面の横に位置する。
【０００７】
本考案の一実施例において、前記ベースプレートが少なくとも一つの開口を有する。
【０００８】
本考案の一実施例において、前記バックプレートアセンブリがさらに固定部材を含み、ベースプレートが固定部材によってバックプレート本体に固定され、固定部材が接着層、ロック部材またはリベット部材のうちの一つを含む。
【０００９】
本考案の一実施例において、前記バックプレートアセンブリはバックプレート本体とベースプレートとの間に位置する溶接部を含み、ベースプレートが溶接部によってバックプレート本体に固定される。
【００１０】
本考案の一実施例において、前記複数個のサイドプレートが少なくとも一つの第一係合部を含み、バックフレームが第一係合部によってバックプレート本体に固定される。
【００１１】
本考案の一実施例において、前記のバックライトモジュールがさらにミドルフレームを含み、ミドルフレームの少なくとも一部が前記複数個のサイドプレートの外側に位置し、かつ、第二係合部を含み、ミドルフレームが第二係合部によってサイドプレートに固定される。
【００１２】
本考案の一実施例において、前記バックプレートアセンブリの裏面側における厚さが、バックプレートアセンブリの少なくとも一つの側面側における厚さより大きい。
【００１３】
本考案の一実施例において、前記バックプレート本体は入光面の横まで折り曲げられた放熱セクションを含み、光源が放熱セクションに熱結合（ｔｈｅｒｍａｌ  ｃｏｕｐｌｉｎｇ）される。
【００１４】
本考案の表示装置は表示パネル及びバックライトモジュールを含む。バックライトモジュールが表示パネルの下方に配置され、かつ、光源、導光板及びバックプレートアセンブリを含む。導光板は入光面、裏面及び複数個の側面を含み、光源が入光面の横に配置される。バックプレートアセンブリは、バックプレート本体及びバックプレート本体に固定されたバックフレームを含み、バックプレート本体が導光板の裏面の横に位置し、バックフレームが少なくとも導光板の前記複数個の側面の横に位置し、バックフレームの厚さがバックプレート本体の厚さの０．２倍から０．６倍の間にある。
【００１５】
以上により、本考案のバックライトモジュールのバックプレートアセンブリはバックプレート本体及びバックフレームによって構成され、バックプレート本体が導光板の裏面の横に位置し、バックフレームが少なくとも導光板の前記複数個の側面の横に位置する。バックフレームの厚さがバックプレート本体の厚さの０．２倍から０．６倍の間にある。つまり、導光板の前記複数個の側面に位置するバックフレームは厚さが比較的に小さいため、狭額縁の効果を達成できる。また、バックプレート本体は元々の厚さを維持できるため、良好な放熱効果と構造強度を提供できる。
【図面の簡単な説明】
【００１６】
【図１】本考案の一実施例による表示装置の部分的側面概略図。
【図２】図１のバックライトモジュールの概略図。
【図３】図２の分解概略図。
【図４】図２のバックプレートアセンブリの分解概略図。
【図５Ａ】図２のＡ−Ａ線に沿った部分的断面概略図。
【図５Ｂ】本考案の別の実施例のバックプレートアセンブリの部分的断面概略図。
【図６】図２のＢ−Ｂ線に沿った部分的断面概略図。
【図７】本考案の別の実施例の多種類のバックライトモジュールの部分的側面概略図。
【図８】本考案の別の実施例の多種類のバックライトモジュールの部分的側面概略図。
【図９】本考案の別の実施例の多種類のバックライトモジュールの部分的側面概略図。
【図１０】本考案の別の実施例の多種類のバックライトモジュールの部分的側面概略図。
【考案を実施するための形態】
【００１７】
図１は本考案の一実施例に基づく表示装置の部分的側面概略図である。図１を参照すると、本実施例において、表示装置１０は表示パネル１２及びバックライトモジュール１００を含む。バックライトモジュール１００は表示パネル１２の下方に配置され、バックライトモジュール１００は例えば表示パネル１２に向けて照明光束を提供する。本実施例において、表示装置１０は例えば車載用表示装置であって、そのバックライトモジュール１００が良好な構造強度と放熱性を有するが、表示装置１０の応用分野がこれに限定されない。また、本実施例において、バックライトモジュール１００は特殊な設計によってバックライトモジュール１００及び表示装置１０の狭額縁効果を達成するものであり、以下はこれについて説明する。
【００１８】
図２は図１のバックライトモジュールの概略図である。図３は図２の分解概略図である。図２と図３を参照すると、本実施例において、バックライトモジュール１００は少なくとも一つの光源１１０、導光板１２０及びバックプレートアセンブリ１３０を含む。導光板１２０は入光面１２４、裏面１２６（図５Ａが示す）及び複数個の側面１２２を含む。光源１１０が電気回路板１１２に配置され、かつ、入光面１２４に向けられており、即ち、光源１１０が入光面１２４の横に配置されている。本実施例の光源１１０はエッジ型（ｅｄｇｅ−ｌｉｔ  ｔｙｐｅ）光源であり、つまり、入光面１２４が導光板１２０の横に設置されたものであるが、入光面１２４の位置はこれに限定されない。別の実施例において、光源１１０が直下型光源である場合、裏面１２６が入光面になる。なお、図３の電気回路板１１２は一個の光源１１０を有する例であるが、本考案はこれに限定されず、別の実施例において、電気回路板１１２に複数個の光源１１０を設置し、かつ複数個の光源１１０を入光面１２４に沿って均等に配列してもよい。
【００１９】
図３か示すように、本実施例において、バックライトモジュール１００はさらに光学フィルムセット１５０と反射シート１６０を含む。導光板１２０は光学フィルムセット１５０とバックプレートアセンブリ１３０との間に位置する。反射シート１６０は導光板１２０の裏面１２６に位置し、つまり、導光板１２０とバックプレートアセンブリ１３０との間に位置する。
【００２０】
図４は図２のバックプレートアセンブリの分解概略図であり、図５Ａは図２のＡ−Ａ線に沿った部分的断面概略図である。図４及び図５Ａを参照すると、本実施例において、バックプレートアセンブリ１３０はバックプレート本体１３１及びバックプレート本体１３１に固定されたバックフレーム１３３を含む。図３と図４を同時に参照すると、バックプレート本体１３１は導光板１２０の裏面１２６の横に位置し、かつ、これらの側面１２２の一方側まで延伸せず（即ち、バックプレート本体１３１は導光板１２０の裏面１２６と重なるのみであるが、本考案はこれに限定されない）、バックフレーム１３３が少なくとも導光板１２０のこれらの側面１２２の横に位置する。詳しく言うと、本実施例において、バックフレーム１３３はベースプレート１３４及びベースプレート１３４に接続された複数個のサイドプレート１３６を含み、ベースプレート１３４がバックプレート本体１３１と重なり（即ち、ベースプレート１３４が導光板１２０の裏面１２６と重なり）、これらのサイドプレート１３６が導光板１２０のこれらの側面１２２及び入光面１２４の横に位置する。具体的には、バックフレーム１３３のベースプレート１３４及び複数個のサイドプレート１３６が収容空間を構成し、導光板１２０をこの収容空間中に設置することができる。
【００２１】
引き続き図５Ａを参照すると、本実施例において、バックプレートアセンブリ１３０の裏面１２６側における厚さが、バックプレートアセンブリ１３０の少なくとも一つの側面１２２側における厚さより大きい。具体的には、バックフレーム１３３の厚さＴ２がバックプレート本体１３１の厚さＴ１の０．２倍から０．６倍の間にあり、例えば、０．３倍または０．５倍であるが、これに限定されない。
【００２２】
本実施例において、バックプレートアセンブリ１３０がバックプレート本体１３１及びバックフレーム１３３によって構成され、バックプレート本体１３１の厚さＴ１が比較的に大きく、導光板１２０の裏面１２６の横に設置されることで、良好な構造強度及び放熱効果を提供することができる。バックフレーム１３３のサイドプレート１３６の厚さＴ２が比較的に小さく、かつ、導光板１２０のこれらの側面１２２の横に位置することで、狭額縁の効果を達成できる。厚さの異なるバックプレート本体１３１及びバックフレーム１３３によって構成されたバックプレートアセンブリ１３０は、コストが低いため、ローコストの前提でも良好な構造強度、放熱効果及び狭額縁効果を得ることができる。
【００２３】
バックプレート本体１３１が金属、熱伝導材料またはその他の高強度材料を含み、かつ、バックフレーム１３３が金属またはその他の熱伝導材料を含んでもよい。当然であるが、バックプレート本体１３１とバックフレーム１３３の材料はこれに限定されない。
【００２４】
さらに言うと、バックフレーム１３３のこれらのサイドプレート１３６が少なくとも一つの第一係合部１３７を含み、バックフレーム１３３が第一係合部１３７によってバックプレート本体１３１と結合し、即ち、バックプレート本体１３１が第一係合部１３７によってバックフレーム１３３に固定される。本実施例において、第一係合部１３７は、例えば、サイドプレート１３６の一部を内側に折り曲げたアームの形状であり、かつ、アームをバックプレート本体１３１の上方に位置させて、バックプレート本体１３１がバックフレーム１３３に対し上へ移動することを防止する。別の図示されていない実施例において、第一係合部１３７がバックフレーム１３３を内側へ突出させたものであってもよく、突起部をバックプレート本体１３１の上方に位置させて、バックプレート本体１３１がバックフレーム１３３に対し上へ移動することを防止する。第一係合部１３７の種類はこれに限定されない。
【００２５】
また、図５Ａが示すように、本実施例において、バックライトモジュール１００がさらにミドルフレーム１４０を含み、ミドルフレーム１４０の少なくとも一部がバックフレーム１３３のこれらのサイドプレート１３６の外側に位置し（即ち、サイドプレート１３６が導光板１２０の一方側から離れている）、かつ、第二係合部１４２を含む。ミドルフレーム１４０が第二係合部１４２によってサイドプレート１３６に固定される。
【００２６】
具体的には、本実施例において、サイドプレート１３６の第一係合部１３７が内側へ折り曲げられ、外側（図５Ａの左側）に空間が形成されて、第二係合部１４２が例えばミドルフレーム１４０を内側に突出させたものであり、突起部をサイドプレート１３６の第一係合部１３７によって開けられた空間（孔）に挿入することができる。言い換えれば、第二係合部１４２は第一係合部１３７と係合して、ミドルフレーム１４０がサイドプレート１３６に対し上へ移動することを防止する。当然ながら、ミドルフレーム１４０をバックフレーム１３３のサイドプレート１３６に固定する方法はこれに限定されない。
【００２７】
図５Ｂは本考案の別の実施例に基づくバックプレートアセンブリの部分的断面概略図である。図５Ｂを参照すると、本実施例と前述の実施例の相違点は、本実施例においてバックフレーム１３３’のベースプレート１３４’が少なくとも一つの開口１３５を有する。ベースプレート１３４’に開口１３５を設けることにより、バックフレーム１３３’の重量を比較的に小さくして、製品全体の重量を低減することができる。また、ベースプレート１３４’の下方にその他の構造を設置する場合、ベースプレート１３４’の開口１３５から下方の構造を進入させることで、全体の厚さを低減することができる。
【００２８】
図６は図２のＢ−Ｂ線に沿った部分的断面概略図である。図６を参照すると、本実施例において、バックプレート本体１３１は入光面１２４の横まで折り曲げられた放熱セクション１３２を選択的に含むことも可能であり、光源１１０が放熱セクション１３２に熱結合される。バックプレート本体１３１は比較的に大きい厚さを有し、比較的に良い放熱性を有するため、光源１１０をバックプレート本体１３１の放熱セクション１３２に熱結合させることで、光源１１０で発生した熱をより素早く放熱セクション１３２から伝出させることができる。
【００２９】
一般的に、狭額縁とは表示スクリーンの上方と左右両側の縁部フレームが比較的に狭い設計を意味し、表示スクリーンの下方の縁部フレームの幅が通常比較的に大きい。本実施例において、光源１１０及びバックプレート本体１３１の放熱セクション１３２の位置が表示スクリーンの下方の縁部フレームに対応するようにして、狭額縁を影響することなく、良好な放熱性を提供することができる。
【００３０】
図７ないし図１０は本考案の別の実施例に基づく多種類のバックライトモジュールの部分的側面概略図である。まず、図７を参照すると、本実施例のバックライトモジュール１００ａにおいて、バックプレートアセンブリ１３０ａがさらに固定部材を含む。本実施例において、固定部材として接着層１３７ａの例を示しており、バックフレーム１３３のベースプレート１３４が接着層１３７ａによってバックプレート本体１３１に固定されている。当然であるが、バックフレーム１３３のベースプレート１３４をバックプレート本体１３１に固定する方法はこれに限定されない。例えば、バックライトモジュール１００ａのバックフレーム１３３のこれらサイドプレート１３６において、選択的に第一係合部を設置しても、または設置しなくてもよい。
【００３１】
図８を参照すると、本実施例のバックライトモジュール１００ｂにおいて、固定部材としてロック部材１３７ｂの例を示しており、バックフレーム１３３のベースプレート１３４がロック部材１３７ｂによってバックプレート本体１３１に固定されている。ロック部材１３７ｂは、図８が示すように、バックプレート本体１３１を通った後、バックフレーム１３３のベースプレート１３４に固定される。図示されていない実施例において、ロック部材１３７ｂが下方から上へバックフレーム１３３のベースプレート１３４を通った後、バックプレート本体１３１に固定されてもよい。固定方法は上記の形に限定されない。このように、バックライトモジュール１００ｂのバックフレーム１３３のこれらのサイドプレート１３６において、選択的に第一係合部を設置しても、または設置しなくてもよい。
【００３２】
図９を参照すると、本実施例のバックライトモジュール１００ｃにおいて、固定部材としてリベット部材１３７ｃの例を示しており、バックフレーム１３３のベースプレート１３４がリベット部材１３７ｃによってバックプレート本体１３１に固定されている。本実施例において、リベット部材１３７ｃは下端がバックフレーム１３３のベースプレート１３４に固定され、リベット部材１３７ｃがバックプレート本体１３１を通り、かつリベット部材１３７ｃの上端がバックプレート本体１３１の上表面に位置して、バックフレーム１３３のベースプレート１３４をバックプレート本体１３１に固定する構成であってもよい。このように、バックライトモジュール１００ｃのバックフレーム１３３のこれらのサイドプレート１３６において、選択的に第一係合部を設置しても、または設置しなくてもよい。
【００３３】
図１０を参照すると、本実施例のバックライトモジュール１００ｄにおいて、バックプレートアセンブリ１３０ｂはバックプレート本体１３１とバックフレーム１３３のベースプレート１３４との間に位置する溶接部１３７ｄを含み、ベースプレート１３４が溶接部１３７ｄによってバックプレート本体１３１に固定されている。溶接部１３７ｄは例えばはんだ（はんだペースト）などであるが、溶接部１３７ｄの材料はこれに限定されない。例えば、バックライトモジュール１００ｄのバックフレーム１３３のこれらのサイドプレート１３６において、選択的に第一係合部を設置しても、または設置しなくてもよい。
【００３４】
なお、別の実施例において、ベースプレート１３４をバックプレート本体１３１に固定する方法として多種類の方法を組み合わせてもよい。例を挙げると、一実施例において、バックフレーム１３３を接着層１３７ａでバックプレート本体１３１に固定するほか、第一係合部１３７でバックプレート本体１３１に固定することで、多重固定の効果を達成できる。
【００３５】
以上をまとめると、本考案のバックライトモジュールのバックプレートアセンブリはバックプレート本体及びバックフレームの二つの部材によって構成され、バックプレート本体が導光板の裏面の横に位置し、バックフレームが少なくとも導光板の複数個の側面の横に位置する。バックフレームの厚さがバックプレート本体の厚さの０．２倍から０．６倍の間にある。つまり、導光板の複数個の側面に位置するバックフレームが比較的に小さい厚さを有するため、狭額縁の効果を達成できる。また、バックプレート本体は元々の厚さを維持できるため、良好な放熱効果と構造強度を提供することができる。
【符号の説明】
【００３６】
Ｔ１、Ｔ２      厚さ
１０        表示装置
１２        表示パネル
１００、１００ａ、１００ｂ、１００ｃ、１００ｄ      バックライトモジュール
１１０      光源
１１２      電気回路板
１２０      導光板
１２２      側面
１２４      入光面
１２６      裏面
１３０、１３０ａ、１３０ｂ      バックプレートアセンブリ
１３１      バックプレート本体
１３２      放熱セクション
１３３、１３３’      バックフレーム
１３４、１３４’      ベースプレート
１３５      開口
１３６      サイドプレート
１３７      第一係合部
１３７ａ    接着層
１３７ｂ    ロック部材
１３７ｃ    リベット部材
１３７ｄ    溶接部
１４０      ミドルフレーム
１４２      第二係合部
１５０      光学フィルムセット
１６０      反射シート
【図１】
0003233939.tif 000003
【図２】
0003233939.tif 000004
【図３】
0003233939.tif 000005
【図４】
0003233939.tif 000006
【図５Ａ】
0003233939.tif 000007
【図５Ｂ】
0003233939.tif 000008
【図６】
0003233939.tif 000009
【図７】
0003233939.tif 000010
【図８】
0003233939.tif 000011
【図９】
0003233939.tif 000012
【図１０】
0003233939.tif 000013